(57)【特許請求の範囲】
【請求項１】
樹脂製の座板とその下方に配置された座受け体とを有しており、前記座板は、その左右両側部を前記座受け体に両端支持の状態に取り付けることにより、下向きに沈むように伸び変形することが許容されていると共に、前記座板の後部は平面視で前記座受け体に重なっている、という構成であって、
前記座板のうち、その後端縁寄りに位置していて着座者の体圧が強くかかる箇所よりも後ろに位置した部位は、人が着座しても殆ど変形しない剛体部になって、前記剛体部よりも手前側に位置して着座者の体圧が強くかかる部位は、着座者の体圧で容易に伸び変形し得る変形容易部になっており、前記剛体部と変形容易部とは、変形容易部が伸び変形しても引っ張り力が剛体部に波及しないように左右方向に連続的に延びる長溝穴又は弱化部によって分断されている、
椅子。
【請求項２】
前記剛体部と変形容易部とは、上下に開口した前記長溝穴によって前後に分断されている、
請求項１に記載した椅子。
【請求項３】
前記座板は、前記変形容易部である中間部と、前記中間部の後ろに位置した剛体部である後部と、前記中間部の手前に位置していて着座者の体圧では容易に変形しない前側部分とを有しており、前記中間部と前側部分とは一体に連続している、
請求項１又は２に記載した椅子。
【発明の詳細な説明】
【技術分野】
【０００１】
本願発明は、樹脂製の座板を座受け体で支持して成る椅子に関するものである。
【背景技術】
【０００２】
椅子の座板を樹脂製とすることは広く行われており、人の着座によって座板を下向きに沈むように弾性変形（伸び変形）させることで、クッション性とフィット性とを確保している。
【０００３】
そして、クッション性とフッィト性とを向上させるには座板の変形量をできるだけ大きくするのが好適であり、そこで、本願出願人は、特許文献１において、多数のスリットが形成された座板を開示した。特許文献１において、座板はその左右両側端部が座受け体に取り付けられており、座板の下方に大きな空間を空けることにより、座板の下向き撓み変形（ベンディング）を許容している。
【０００４】
他方、特許文献２には、座板に、その左右側縁と後端縁とに沿って延びる平面視Ｕ形の可撓性凹条を形成して、座板のうち可撓性凹条で囲われた部位が大きく伸び変形する構造が開示されている。特許文献２の発明はいわゆるパイプ椅子に適用しており、座板は、その左右両端部がパイプ製の脚に取り付けられている。従って、座板の下方は開放されており、座板は許容限度まで伸び変形する。
【先行技術文献】
【特許文献】
【０００５】
【特許文献１】特開２０００−９３２５０号公報（図２０，２３）
【特許文献２】特許第４２３８０８２号公報
【発明の概要】
【発明が解決しようとする課題】
【０００６】
座板は無制限に伸び変形すればよい訳ではなく、体圧の強さに応じて伸び量が比例するのが好適であると言える。すなわち、座板のうち体圧が強く掛かる部分ほど大きく変形し、また、体重が大きいほど大きく伸び変形するのが好適であると言える。この点、特許文献１では、体圧が強く掛かる部分ほどスリットの密度が高くなっているため、体圧の強さに応じて変形しやくなっていて好適であると言える。これに対して特許文献２では、Ｕ字状の可撓性凹条に応力が集中するため、ある荷重（体重）を境にして可撓性凹条で囲われた部分が全体的にストンと下降動することが予想され、このため人に違和感を与えるおそれがある。
【０００７】
さて、人は着座状態で手先を座の下方に位置させることがあり、この場合、座板のベンディングによって指を挟むことがあってはならない。また、幼児のいる環境で椅子を使用した場合、幼児が座板と座受け体との間に手を差し込んで指を挟むといった事故が起きることも防止せねばならない。この点、特許文献１では、座板と座受け体との間に大きな空間が空いているため指挟みの問題はないが、デザイン上の要請等によって座板と座受け体との間隔を狭めたい場合があり、その場合、指を座板と座受け体とで挟むことがあってはならない。
【０００８】
なお、座板の左右両端縁は座受け体と密着した状態に保持されており、また、座板の前部は殆ど撓み変形しない構造になっていて座受け体に当接しているので、一般には、座板の後端部と座受け体との間での指挟みが問題になりすいと言える。すなわち、座板の後端縁と座受け体との間に隙間が空いている場合に、指挟みの問題が生じると言える。
【０００９】
また、座の前後位置を調節できる椅子があり、この椅子では、特許文献１と同様に座受け体を備えており、座板が座受け体に対して前後スライド可能に取り付けられているが、このように座板の前後位置を調節可能な椅子においても、座板の前後位置に関係なく指挟み防止策を講じる必要がある。
【００１０】
本願発明はこのような現状に鑑み成されたものであり、クッション性やフィット性、指挟み防止機能等に優れた椅子を提供せんとするものである。
【課題を解決するための手段】
【００１１】
本願発明の椅子は、樹脂製の座板とその下方に配置された座受け体とを有しており、前記座板は、その左右両側部を前記座受け体に両端支持の状態に取り付けることにより、下向きに沈むように伸び変形することが許容されていると共に、前記座板の後部は平面視で前記座受け体に重なっている、という基本構成になっている。
【００１２】
そして、請求項１の発明は、上記基本構成において、  前記座板のうち、その後端縁寄りに位置していて着座者の体圧が強くかかる箇所よりも後ろに位置した部位は、人が着座しても殆ど変形しない剛体部になって、前記剛体部よりも手前側に位置して着座者の体圧が強くかかる部位は、着座者の体圧で容易に伸び変形し得る変形容易部になっており、前記剛体部と変形容易部とは、変形容易部が伸び変形しても引っ張り力が剛体部に波及しないように左右方向に連続的に延びる長溝穴又は弱化部によって分断されている。
【００１３】
請求項２の発明は請求項１の発明を具体化したもので、この発明では、前記剛体部と変形容易部とは、上下に開口した前記長溝穴によって前後に分断されている。
また、請求項３の発明は、請求項１又は２において、前記座板は、前記変形容易部である中間部と、前記中間部の後ろに位置した剛体部である後部と、前記中間部の手前に位置していて着座者の体圧では容易に変形しない前側部分とを有しており、前記中間部と前側部分とは一体に連続している。
【発明の効果】
【００１４】
本願発明では、座板のうち変形容易部はその後ろの剛体部と縁が切れた状態でベンディングするため、体圧の強弱の違い（すなわち着座者の体重の違い）への応答性が高い。また、変形容易部はその後ろの剛体部と分断されているに過ぎないため、特許文献２のようにある荷重（体重）を境にして変形容易部がストンと落ち込むこともない。よって、本願発明によると、従来に比べてクッション性・フィット性を向上させることができる。
【００１５】
請求項１の発明では、座板の剛体部と座受け体との間には大きな空間を空けることも可能であるが、座受け体の外側から座板の下方に人の指を挿入できない構造を採用すると、変形容易部と座受け体との間に大きな空間を空けなくても、指挟みを防止できる利点がある。
【００１６】
さて、座板の変形容易部は保証期間以上に使用すると破断する場合があり得る。この場合、座板の変形容易部と座受け体との間の間隔をあまり大きくしないことにより、仮に変形容易部が破断しても身体を安全に支持できる。また、変形容易部が許容限度以上に変形する前に座受け体に当接させることも可能であり、この構成を採用すると破断そのものを防止できる。すなわち、座受け体を安全装置として機能させることができる。
【００１７】
そして、これらの場合は座板の変形容易部と座受け体との間の間隔はさほど大きくないため、変形容易部と座受け体との間に座板の後ろ側から指を挿入できると、指挟みの問題が生じる。この点、実施形態のように、前記座受け体の外周部を前記座板の下面に当接又は近接させて、このため人は前記座板と座受け体との間には指を差し込み不能になる構成にすると、仮に変形容易部と座受け体との間の間隔を狭くしていても指を挿入することはできないため、指挟みを確実に防止できる。従って上記実施形態によると、座板の変形容易部の破断に対する安全性を確保しつつ、指挟みを確実に防止できる利点がある。
【００１８】
更に、実施形態のように、「前記座板は前記座受け体に前後位置調節可能に取り付けられており、前記座板をいずれの前後位置に設定しても、当該座板における剛体部の少なくとも前端部が前記座受け体と平面視で重なった状態に保持されている」という構成を採用すると、座をどのような前後位置に調節しても座板の後ろから座板と座受け体との間に指を挿入することはできないため、使用者の要望に応えて座板の前後位置を調節できる使い勝手の良い椅子でありながら、クッション性・フィット性は確保しつつ、指挟み防止機能等の安全性を向上させることができる。
【図面の簡単な説明】
【００１９】
【図１】椅子の外観図であり、（Ａ）は前方から見た斜視図、（Ｂ）は後ろから見た斜視図、（Ｃ）は側面図である。
【図２】座板及びその支持部の分離斜視図である。
【図３】座板と座受け体との分離斜視図である。
【図４】座板と座クッションとの分離斜視図である。
【図５】座板の破断斜視図である。
【図６】（Ａ）は表皮材取り付け用フロント縁部材を分離した座の概略底面図、（Ｂ）はフロント縁部材の部分斜視図、（Ｃ）は表皮材フロント縁部材の側面図である。
【図７】（Ａ）は図６（Ａ）の VIIA-VIIA視断面図、（Ａ）は図６（Ａ）の VIIB-VIIB視断面図である。
【図８】（Ａ）は図６（Ａ）の VIII-VIII視部分断面図、（Ｂ）は表皮材の部分的な斜視図である。
【図９】（Ａ）は座前後調機構部の正断面図、（Ｂ）は座前後調機構部を説明するための座板と座受け体との分離斜視図、（Ｃ）は座受け体の部分的な斜視図である。
【図１０】（Ａ）は座前後調節装置と座板との分離斜視図、（Ｂ）は座前後調節装置の分離斜視図である。
【発明を実施するための形態】
【００２０】
次に、本願発明の実施形態を図面に基づいて説明する。本実施形態は事務用に多用されている回転式ロッキング椅子に適用している。本願では、方向を特定するため「前後」「左右」の文言を使用するが、これは普通の姿勢で着座した人の向きを基準にしている。正面視は、着座した人と対向した方向になる。
【００２１】
(1).椅子の概要
まず、主として図１及び図２を参照して椅子の概要を説明する。図１に示すように、椅子は、大きな要素として脚１と座２と背もたれ３とを備えている。脚１は放射方向に延びる枝足を有しているが図示は省略しており、ガスシリンダよりなる脚支柱４のみを表示している。脚支柱４の上端にはベース５が固定されており、ベース５の上方に座２が配置されている。
【００２２】
図２に示すように、座２は、樹脂製の座板（座インナーシェル）６とその上面に張った座クッション７とから成っており、図２，３に示す座受け体８に、前後位置調節可能に取付けられている。座受け体８は樹脂製であり、その前部はフロントリンク９を介してベース５の前部に連結されており、フロントリンク９は、側面視でベース５と座受け体８との両方に対して相対回動する。従って、フロントリンク９が回動することにより、座受け体８及び座２は上下動しながら前後動する。なお、座受け体８は、中間支持体又は座アウターシェルと呼ぶことも可能である。
【００２３】
背もたれ３は、着座者の体圧がかかるシェル状の背板（背インナーシェル）１０と、これが取付けられたシェル状のバックサポート（背アウターシェル）１１とを有しており、背板１０の前面に背クッション１２が張られている。背クッション１２は、クロス等の表皮材１３で前から覆われている。
【００２４】
バックサポート１１の下端には前向きに延びる左右一対のアーム１４が一体に形成されている。左右のアーム１４は、その前端部を中心にして後傾するようにベース５に連結されており、かつ、左右のアーム１４は、金具１５（図１（Ｂ）に僅かに露出している。）を介して座受け体８の後部と連結されている。このため、背もたれ３が後傾すると、座受け体８と座２は、金具１５に引かれて後退しつつ上昇する。ベース５の後部には、ロッキングに対して抵抗を付与する弾性体（図示せず）が内蔵されている。座板６の右側部の下面には、座２を所望の前後位置に保持するためのレバー装置１６（図２参照）を装着している。
【００２５】
(2).座板の構造
次に、座２や座受け体８の構造及び互いの関係を説明する。まず、座板６について説明する。例えば図３〜図５から理解できるように、座板６は、着座者の体圧が強くかかる中間部１７と、その前に位置した前側部分１８と、中間部１７の後ろに位置した後部１９と、中間部１７及び前側部分１８の左右外側に位置したサイド部２０とを有している。
【００２６】
中間部１７の左右中間位置には前後長手のセンタースリット２１が複数条形成されており、中間部１７の左右側部には前後長手のサイドスリット２２が複数条形成されている。センタースリット２１の群とサイドスリット２２の群との間には、平面視で座板６の縦長中心線に向けて倒れるように緩く傾斜した多数のミドルスリット２３の群が形成されている。ミドルスリット２３は緩く湾曲している。これらスリット２１，２２，２３の群の存在により、中間部１７は着座した人の体圧に比例して下向きに伸び変形する。すなち、中間部１７は請求項に記載した変形容易部に相当するもので、スリット２１，２２，２３は変形容易化手段の一例である。
【００２７】
センタースリット２１の群は３列設けているが、隣り合った群は前後に位置がずれているため、それらセンタースリット２１を設けた部位が左右方向に過度に広がり変形することはない。同様に、サイドスリット２２も２列ずつ設けているが、左右に隣り合った群は前後に位置がずれているため、それらサイドスリット２２を設けた部位が左右方向に過度に広がり変形することはない。結局、中間部１７は、特定部位に応力が集中することはなく、ほぼ均等な割合で伸び変形する。この点、特許文献２との大きな違いである。
【００２８】
座板６の前側部分１８は、中間部１７から段落ちした状態の前底板２４とその上面に突設した縦横の前リブ２５とで構成されており、リブ２５の群の上面が中間部１７の上面と同一面状に連続している。従って、前側部分１７にはリブ２５の群で仕切られた多数の角形空間が上向きに開口している。また、前側部分１８の前端は、着座者の大腿部への当たりを柔らかくするため、前向き凸状に緩く湾曲した庇状の前壁２６で構成されている。前側部分１８はリブ２５の群で補強されているため、着座者の体圧がかかっても基本的には変形しない剛体構造になっている。
【００２９】
座板６の後部１９は、後ろ底板２７に縦横の後ろリブ２８の群を突設した剛体構造（剛体部）になっており、着座者の体圧が掛かっても基本的には弾性変形しない。そして、中間部１７と後部１９とは左右方向に延びる上下開口の長溝穴２９で分断されている。従って、中間部１７は後部１９の制約を受けることなく伸び変形し得ると共に、中間部１７の伸び変形が後部１９に波及することはない。
【００３０】
後ろ底板２７は、前側が低くて後ろ側が高くなるように、水平姿勢の部分が２段階に連続した形態を成している一方、後ろリブ２８は、その前端は中間部１７と同じ高さであり、後ろに行くに従って徐々に高くなるように側面視で湾曲しつつ傾斜している。これは、人の臀部のカーブにフィットさせるための措置である。後部１９の後端は、上向きのリア土手部３０で構成されている。
【００３１】
サイド部２０は、サイド底板３２とその側端から上向きに立ち上がった側壁３３とを有しており、サイド底板３２と側壁３３とは正面視三角形状のサイドリブ３４によっても繋がっている。サイド部２０も着座者の体圧で弾性変形しない剛体構造になっている。
【００３２】
座クッション７は、金型を使用して製造した（発泡させた）成形品であり、図８に示すように、左右側面と上面とよりなる角部が鋭角を成すシャープな形態になっている。図４，７（Ａ）に示すように、座クッション７の前部には、左右中間部とその左右両側とに位置した３つのフロント突起３５が下向きに突設されており、これらフロント突起３５は、図７（Ａ）のとおり、座板６の前部に設けたフロント凹所３６に嵌め込まれている。これにより、座クッション７が正確に位置決めされている。座板６のフロント凹所３６には、フロント突起３５を支持する補助リブ３７を設けている。また、図５に示すように、サイドリブ２３の外側に前後長手の上向き開口溝３８を設けている（図８（Ａ）も参照）。この上向き開口溝３８の存在によっても、座板６の中間部１７が伸び変形することが許容されている。
【００３３】
図４及び図７（Ａ）に示すように、座クッション７の後部には、座板６の後部１９を構成するリブ２８の群の上面に当接する左右横長の後部突起３５′が設けられている。後部突起３５′は、座板６の後部１９のうち前側の１／４程度には当たっていない。このため、座板６の中間部１７が沈み変形するにおいて、座クッション７は小さな曲率でスムースに変形する。
【００３４】
また、図７（Ａ）に示すように，座板６の後端縁のうちリア土手部３０の手前側には、前後長手のリブ２８の群の後部を低くすることにより、左右に長いリア長溝３６ａが形成されている一方、座クッション７の後端縁には、リア長溝３６ａに嵌合するリア突条３５ａが形成されている。更に、図５，７（Ａ）に示すように、座板６のうちリア長溝３６ａの手前には、前後長手のリブ２８のうち左右中間部のものとその左右外側に位置したものとの高さを若干高くすることによって補助突起３６ｂが形成されている一方、座クッション７には、補助突起３６ｂに嵌まる補助凹所３５ｂが形成されている。
【００３５】
これらリア長溝３６ａとリア突条３５ａとの嵌め合わせと、補助突起３６ｂと補助凹所３５ｂとの嵌め合わせにより、座クッション７の後部は座板６にずれ不能に保持されているため、着座によって座クッション７の後部がずれ動くような不具合はなく、快適な座り心地を得ることができる。
【００３６】
(3).表皮材の取り付け手段
例えば図８（Ａ）に示すように、座クッション７は織地又は編地より成る表皮材３９で上から覆われており、表皮材３９の周縁を座板６の周縁部に下方から固定している。この点を次に説明する。本実施形態では、表皮材３９のうち左右側縁と後端縁とは図８に示すクリップ４０を使用して座板６に取り付け、表皮材３９の前端縁は図６に示す左右横長の係止具４１を使用して取り付けている。
【００３７】
図８のとおり、クリップ４０は表皮材３９の縁に固定される基板４２を有しており、基板４２に、表皮材３９の側縁に沿って延びる背板４３と、背板４３の両側端に繋がった一対の側板４４とが上向きに突設されている。背板４３と側板４４とは頂部４５に収束しており、頂部４５からキャッチ片４６が下向きに突出している。キャッチ片４６は、その上端のみが頂部４５に繋がっているため、背板４３に近づくように弾性変形する。そして、キャッチ片４６の外面の上下中途部には、当該キャッチ片４６の自由端の側に向いた係合面を有する爪部４６ａが形成されている。背板４３とキャッチ片４６とで略山形（テーパ状）の形態を成している。
【００３８】
座板６の左右側縁と後端縁には、クリップ４０の大部分を差し込みできるクリップ受け穴４８が形成されており、クリップ受け穴４８の内側縁にクリップ４０の爪部４６ａが内側から引っ掛かる。これにより、表皮材３９の縁が座板６に保持される。キャッチ片４６の先端に指先（或いはマイナスドライバ等の工具の先端）を当てて背板４４の側に引くと、キャッチ片４６は倒れ変形してクリップ受け穴４８との係合が解除される。
【００３９】
また、図８（Ａ）に示すとおり、クリップ受け穴４８のうちキャッチ片４６が重なる部分の開口縁には、座板６の内部側に向いて傾斜した傾斜面４８ａを形成している。このため、指先又は工具をキャッチ片４６の先端に引っ掛けることを容易に行える。クリップ４０の基板４２は、座板６の下向き平坦部６ａに重なっている。そして、下向き平坦部６ａは座板６の左右側縁と後端縁とに連続して形成されており、かつ、前壁２６の下面に滑らかに連続している（下向き平坦部６ａの意義は後述する。）。
【００４０】
図６に明示するように、クリップ受け穴４８は、座板６の左右側縁と後端縁とにそれぞれ３つずつ形成している。なお、図８（Ｂ）に一点鎖線で示すように、表皮材３９の縁に樹脂製等の縁板４９を固定してもよい。このように縁板４９を使用すると、表皮材３９が保形されるため、飛び飛びに配置されたクリップ４０による取り付けであっても、表皮材３９を弛みや皺がない張った状態に保持できる利点がある（縁板４９を使用するのが現実的であると言える。）。縁板４９は表皮材３９の表裏のいずれに固定してもよい。なお、座クッション７にはクリップ４０が嵌まる凹所を形成している。
【００４１】
さて、表皮材３９の周縁部に縁板４９を固定する場合、表皮材３９は平坦な布を素材にしているため、表皮材３９を環状の状態で表皮材３９に縫着するのは面倒である（すなわち、立体的にミシン掛けするのは面倒である。）。この点に関する方策を図６に部分的に表示している。すなわち、図６において、右上部に平行斜線で部分的に示すのは縁板４９であり、網掛け表示で示すのは、ゴム入り布や平ゴムのような伸縮性素材からなる伸縮性テープ４９′であり、コーナー部を挟んだ縁板４９を伸縮性テープ４９′で接続している（伸縮性テープに代えて、伸縮紐を使用することも可能である。）。
【００４２】
具体的な製法としては、例えば、表皮材３９の四周に縁板４９を縫着してから、コーナー部を挟んで隣り合った縁板４９に伸縮性テープ４９′を縫着等で固定することが考えられる。或いは、縁板４９を表皮材３９に縫着するにおいて、伸縮性テープ４９′を引き伸ばした状態で、隣り合った縁板４９に縫着することも可能である。伸縮性テープ４９′を引き伸ばして縫着する場合は、伸縮性テープ４９′を表皮材３９に縫着してもよい。
【００４３】
いずれにしても、腰の強い縁板４９はコーナー部を除いた部位に縫着すればよいため、縁板４９の取付け作業は非常に簡単であり、しかも、隣り合った縁板４９は伸縮性テープ４９′で引っ張られているため、表皮材３９はコーナー部において張った状態に保持される。この点、独立した発明たり得る。
【００４４】
既述のとおり、表皮材３９の前端は図６及び図７（Ｂ）に示す左右横長の係止具４１によって座板６に取り付けられている（図７（Ａ）では係止具４１は省略している。）。係止具４１は樹脂製であり（金属板製でもよい）、表皮材３９が固定された基板５１を有しており、基板５１の２つの長手側縁のうち表皮材３９の外側に位置した長手側縁に、座板６の前壁２６に設けた横長の係止穴５２に嵌まる係止片５３を一体に設けている。
【００４５】
係止穴５２は左右方向に沿って３つ設けており、従って、係止片５３も３つ設けている。係止片５３は、基板５１から立ち上がった起立部と、その先端から基板５１と反対側に突出した鉤部５３ａとを有しており、側面視Ｌ形になっている。更に述べると、基板５１と係止片５３とで側面視クランク形の形態になっている。
【００４６】
そして、係止具４１は表皮材３９によって前側に引っ張られているが、係止片５３の起立部が係止穴５２の前内側面に重なっていることで係止具４１は前向きずれ不能に保持されており、かつ、基板５１が前壁２６の下面に重なって、係止片５３の先端が前壁２６に上から当たっていることにより、係止片５３は係止穴５２から抜け不能に保持されている。従って、係止具４１は、係止片５３を係止穴５３に嵌め込むだけで、座板６に対して脱落不能に保持される。座クッション７を取り付けるに当たっては、まず係止具４１を座板６の前端部に取り付け、次いで、クリップ４０の群を座板６に取り付けたらよい。
【００４７】
図７（Ｂ）に明示するように、座板６の前壁２６はその先端が下になるように側面視で傾斜している一方、係止穴５２の後ろ内面５２ａはほぼ鉛直姿勢になっている。従って、係止穴５２の後ろ内面５２ａは前内面に対して側面視で傾斜しており、その結果、係止穴５２は奥（上）に行くほど溝幅が広がっている。このため、係止片５２の嵌め込みが誘い込まれる。本実施形態のように係止穴５２の後ろ内面５２ａを傾斜させた場合は、係止片５３の鉤部５３ａを係止穴５２の後ろ内面５２ａに当接させてもよい。逆に、鉤部５３ａを前壁２６の上面に広い範囲にわたって重ねることも可能である。
【００４８】
図６（Ｂ）（Ｃ）に明示するように、各係止片５２の左右両端部には、起立部と鉤部５２ａとが連接した角部の外側に突出した膨出部５４を設けている。膨出部５４は長穴状のスリット５５によって係止片５３と区分されており、このため、膨出部５４は弾性変形し得る。そして、膨出部５４が係止穴５２の前内面の上端に当接するため、係止片５３の抜け止め機能を向上できる。また、係止具４１の装着に際しては、膨出部５４が弾性変形してから係止穴５３を抜け切ると、膨出部５４が弾性復元力で瞬間的に戻り変形し、この戻り変形を人はパチッというクリック感として把握できるため、正確に装着されたことを感触によって把握できる。この点も本実施形態の利点である。
【００４９】
係止具４１は各係止穴４３に対応して個別に設けることも可能であるが、本実施形態のように座板６の前端縁に沿って一連に延びる１本の係止具４１を使用すると、取り付け作業を迅速に行える利点がある。表皮材３９のうち前縁部以外の他の部位の取り付けに係止具４１を使用することも可能である。
【００５０】
本実施形態では表皮材３９としてクロス（織地）を使用しており、そこで、クリップ４０と係止具４１を使用して座板６に取り付けている。他方、表皮材３９として人造又は天然のレザー（皮革）を使用する場合があり、この場合は、コの字形等のタッカー（針）で座板６に固定している。そして、既述のとおり、本実施形態では座板６の全周にわたって下向きの平坦部６ａを形成しており、表皮材３９としてレザーを使用する場合は、表皮材３９の周縁部は平坦部６ａと前壁２６とにタッカーで固定される。従って、本実施形態では、織地製の表皮材とレザー製の表皮材との両方に簡単に対応できる。
【００５１】
(4).座受け体及びこれに対する座板の取り付け構造
座受け体８は、底板の上面に多数の補強リブ５６が縦横に形成された構造になっており、前端にはフロントリンク９が嵌まるフック部５７を下向きに突設している。そして、本実施形態では座２を座受け体８に前後位置調節可能に取り付けている。図７（Ａ）では座２は最も後退した状態に表示している。
【００５２】
図３や図８（Ａ）に示すように、座板６の下面のうちサイド部２０の内側縁に前後長手の上レール５８を下向きに突設している一方、座受け体８の左右両側部には、上レール５８がスライド自在に載る下レール５９を一体に形成している。この場合、図８（Ａ）に示すように、上レール５８の内側部に下レール５９の内側に位置したガイドリブ５８ａを下向きに突設しており、このため、座板６は座受け体８に対して左右ずれ不能に保持されている。
【００５３】
座板６は、座受け体８に上向き抜け不能に保持されておらねばならない。そこで、本実施形態では、図３や図８（Ａ）のとおり、座受け体８のうち下レール５９よりも外側の縁部に正面視鉤形のガイド爪６０設ける一方、座板６の左右両側部には、図８（Ａ）や図１０（Ａ）のとおり、ガイド爪６０が嵌まる抜け止め溝６１を形成している。抜け止め溝６１は底板６１ａを有しており、図８（Ａ）のとおり、ガイド爪６０が底板６１ａの上に位置することで座板６は抜け不能に保持されている。
【００５４】
例えば図６（Ａ）に示すように、抜け止め溝６１における底板６１ａの後端は切欠かれており（切欠きを符号６２で示す。）、このため、座板６を手前に移動させ切ってガイド爪６０を切欠き６２の箇所に位置させると、座２を上下動させて座受け体８に対して着脱させることができる。他方、通常の使用状態で座２を簡単に取り外しできるのは好ましくない。そこで、通常の使用状態での座２の前進位置は、例えば図２に示すレバー装置６３によって規制しており、前進させ切ってもガイド爪６０が切欠き６２まで届かないように設定している（レバー装置６３の詳細は後述する。）。
【００５５】
図７（Ａ）から理解できるように、座板２の前側部分１８を構成する前底板２４は、座２の前後位置に関係なく座受け体８の前部に当接又は密接している。同様に、座板２の後部１９を構成する後ろ底板２７の下段部は、座２の前後位置に関係なく少なくとも前端が面視で座受け体８と重なった状態が保持されている。座２を前進させ切ると、後ろ底板２７の下段部の全体が座受け体８と重なり合う。
【００５６】
座板６の中間部１７と座受け体８との間に空間が空いており、このため、着座すると座板６は下向きに延びるように弾性変形する。また、座板６の中間部１７と座受け体８との間の間隔は過度に大きくはないため、仮に中間部１７が破断しても臀部は過度に下向き動することなく座受け体８で支持される。このため、安全性に優れている。
【００５７】
そして、既述のとおり、座板６の中間部１７と後部１９とは上下開口の長溝穴２９で分断されているため、座板６の中間部１７が体重に比例して沈み込み変形することが確実ならしめられており、その結果、人は体重の違いに関係なく適切なフィット性・クッション性を得ることができる。
【００５８】
図７（Ａ）から理解できるように、後部１９の上面は後ろに行くに従って高くなるように緩い角度（曲がり）で傾斜していると共に、非着座状態で後部１９の前端は中間部１７の後端よりも若干の寸法（例えば数ｍｍ〜１０ｍｍ程度）低くなっている。従って、人が着座することによって中間部１７がある程度沈み込み変形した状態（或いは沈み込み切った状態）で、中間部１７と後部１９との上面が滑らかに連続することになり、このため、中間部１７と後部１９とを分断したことによって人に違和感を与えることはない。
【００５９】
また、座板の前側部分１８と後部１９とサイド部２０とは、剛体構造でかつ座受け体８に当接又は密接しているため、安定性に優れていると共に、人が指を座板６と座受け体８との間に差し込むことはできず、安全性に優れている。また、中間部１７と前側部分１８には一体に連続しているため、中間部１７が前側部分１８とは滑らかに連続した状態に撓み変形することになり、従って、着座者は大腿部が突き上げられるような違和感を受けることはない。
【００６０】
(5).レバー装置
次に、図９，１０に基づいてレバー装置１６を説明する。レバー装置１６は、座板６の下面に左右スライド自在に装着したスライドレバー６６と、スライドレバー６６を内向き方向に付勢するばね６７と、座板６に回動自在に装着した引手レバー６８とで構成されている。スライドレバー６６は、座板６に設けた左右横長のガイド凹所６９に前後動不能で左右動自在に装着されている。ガイド凹所６９の前後内側面にには、スライドレバー６６の前端部を下方から抱く奥部支持爪７０が設けられている。
【００６１】
スライドレバー６６の前端寄り部位には下向きのストッパー突起７１を設けている一方、座受け体８には、ストッパー突起７１が当たることで座板６を前後動不能に保持する３つのストッパーリブ７２を前後方向に並設している。ストッパー突起７１は、各ストッパーリブ７２の後ろ側の３つのストップ位置７３，７４，７５のうちのいずれかに選択的に保持される。ストッパー突起７１が最も後ろのストップ位置７３に位置した状態での座板の後退動は、抜け止め溝６１の前内面がガイド爪６０に当たることで規制される。ストッパーリブ７２の外側は、ストッパー突起７１が前後動し得る空間になっている。
【００６２】
スライドレバー６６には、ばね６７を抱持する下向き凹のポケット部７６が形成されている。ポケット部７６は上方にも部分的に開口している。ばね６７の奥端はポケット部７６の奥端部に当接し、ばね６７の前端はガイド凹所６９に設けたばね受け７７に当接している。従って、スライドレバー６６は、ストッパーリブ７２に係合する状態に付勢されている。
【００６３】
引手レバー６８は、水平状部と上向き部７８を有する略Ｌ形の形態を成しており、上向き部７８の上端に側面視門形の吊支部７９を突設している。一方、座板６には、引手レバー６８における上向き部７８の上端が当たる軸受け部８０を設けている。軸受け部８０は下向き凹の円弧状の形態であり、このため、引手レバー６８はスムースに回動する。
【００６４】
また、軸受け部８０には、吊支部７９が上向きに貫通する保持穴８１と、吊支部７９の空間に入り込む角部８２とを設けている。吊支部７９は、上向き部７８に対してスライドレバー６６の側に倒れるように傾斜している一方、角部８２は穴８１の内側に位置しており、このため、吊支部７９は、図９（Ａ）に矢印Ａで示すように略鉛直姿勢でないと保持穴８１に嵌め入れることができず、かつ、通常の姿勢では角部８２に規制されて、保持穴８１から抜き外すことはできない。
【００６５】
スライドレバー６６の基端には前後長手のボス部８３を設けている一方、引手レバー６８における上向き部７８の下端部には、ボス部８３に上から嵌まる長溝８４を形成している。このため、引手レバー６８を上向きに引いて回動させると、スライドレバー６６は後退動してストッパー突起７１はストッパーリブ７２から離脱し、これによって座２を前後動させることができる。
【００６６】
レバー装置１６の取り付けに当たっては、引手レバー６８とスライドレバー６６とを別々にセットし、次いで、スライドレバー６６の基端部を下向きに撓ませてからボス部８３を長溝８４に嵌め入れたらよい。座板６を座受け体８に装着すると、スライドレバー６６を下向きに曲げ変形させることがきないため、スライドレバー６６と引手レバー６８とが連結した状態が保持される。ばね６７は、スライドレバー６６は引手レバー６８とをセットしてから、図１０（Ｂ）に矢印Ｂで示すようにポケット部７６に押し入れる。
【００６７】
ガイド凹所６９の前後内側面には、スライドレバー６６の下方から支持する中間爪８５を設けている。中間爪８５は変形可能であり、スライドレバー６６を、図９（Ａ）に一点鎖線Ｃで示すように傾斜させつつ前端をガイド凹所６９の奥に当接させ、その状態をスライドレバー６６をガイド凹所６９に内部に向けて押し込むと、中間爪８５はいったん弾性変形してから戻り変形し、これにより、スライドレバー６６は横向き抜け不能でかつ落下不能に保持される（ばね受け７７がストッパーとして機能するため、スライドレバー６６を抜き外すことはできない。）。
【００６８】
さて、座を前後調節するためのレバー装置を引手レバーとスライドレバーとで構成した公知文献として、例えば特開２００８−１８１９２号公報が存在する。この公報は引手レバーをピンで座に取り付けている。しかし、ピンによる取り付けは作業が面倒であるのみならず、ピンの紛失のような問題もある。
【００６９】
この点、本実施形態は、スライドレバー６６と引手レバー６８とはボス部８３と長溝８４との嵌め合わせ構造であり、しかも、引手レバー６８は座板６の軸受け部８０に嵌め込むだけであるため、作業が簡単であると共に部材管理の手間も抑制できる。また、ばね受け７７を利用して抜け不能に保持できるなど、多くの利点がある。
【００７０】
(6).その他
本願発明は、上記の実施形態の他にも様々に具体化できる。中間部（変形容易部）と後部とを分断する手段としては、側断面視Ｕ形の薄片のような弱化部で連結することも可能である。座板や座受け体の構造は必要に応じて任意に設計変更できる。座受け体を板金製やダイキャスト製とすることも可能である。
【００７１】
座板の中間部を変形容易部と成す手段としては、スリットを形成することには限らず、座板を薄肉化したり、エラストマーを混入した材料で製造するなどしてもよい。実施形態において符号３８で示した上向き開口溝のような開口溝を設けることによっても、変形を容易ならしめることができる。変形容易部とその後ろの剛体部とをどのような前後比率にするかは任意に設定できる。変形容易部の前側にも剛体部を設ける場合、両者の間を長溝穴等で分断することも可能である。
【産業上の利用可能性】
【００７２】
本願発明は、椅子に適用して有用性を発揮する。従って、産業上利用できる。
【符号の説明】
【００７３】
２  座
３  背もたれ
５  ベース
６  座板（座インナーシェル）
７  座クッション
８  座受け体（座アウターシェル）
１６  レバー装置
１７  座板の中間部（変形容易部）
１８  座板の前側部分
１９  座板の後部（剛体部）
２０  座板のサイド部
２１，２２，２３  変形容易化手段としてのスリット
２９  長溝穴
【図１】
0005763918.tif 000002
【図２】
0005763918.tif 000003
【図３】
0005763918.tif 000004
【図４】
0005763918.tif 000005
【図５】
0005763918.tif 000006
【図６】
0005763918.tif 000007
【図７】
0005763918.tif 000008
【図８】
0005763918.tif 000009
【図９】
0005763918.tif 000010
【図１０】
0005763918.tif 000011